Podtech/llm-jp-corpus-v4-ja_patent huggingface dataset:
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
遊技領域に配設され、遊技球を入賞可能な開放状態と入賞不能な閉鎖状態とに開閉される開閉入賞口と、
該開閉入賞口を開閉させるラウンドを所定の回数を上限として一又は複数回繰り返し、１回のラウンドは予め定められた所定個数の遊技球が入賞すると終了する特別遊技を実行する特別遊技制御手段とを備えた弾球遊技機において、
前記特別遊技制御手段は、前記ラウンドにおいて前記開閉入賞口に入賞する遊技球が所定領域を通過することに起因して抽選を行い、当選すると次ラウンドも開閉させるラウンド抽選手段と、
該ラウンド抽選手段は、前記所定領域を通過する何番目の遊技球で抽選を行うかを予め決定する抽選順番決定手段と、
該抽選順番決定手段により決定された抽選順位を表示する抽選順位表示手段と、
を備えたことを特徴とする弾球遊技機。
【請求項２】
請求項１に記載の弾球遊技機において、
前記抽選順番決定手段は、少なくとも一部の前記ラウンドで前記抽選順位を変更し、
前記抽選順位表示手段は、前記抽選順位が変更されたときには、前記開閉入賞口を前記開放状態としたときに前記抽選順位を表示する、ことを特徴とする弾球遊技機。
【請求項３】
請求項１又は請求項２に記載の弾球遊技機において、
前記開閉入賞口は、遊技球が始動口に入球したとき予め定められた確率下で当選することに起因して前記開放状態とされ、
前記抽選順番決定手段は、前記確率が高確率である場合と低確率である場合とで前記抽選順位を相違させた、ことを特徴とする弾球遊技機。
【請求項４】
請求項１に記載の弾球遊技機において、
前記特別遊技制御手段は、前記ラウンド抽選手段による抽選を行うことなく無条件で次のラウンドに進む無条件ラウンドを有する、ことを特徴とする弾球遊技機。
【手続補正２】
【補正対象書類名】明細書
【補正対象項目名】００１０
【補正方法】変更
【補正の内容】
【００１０】
請求項１に記載の弾球遊技機は、遊技領域に配設され、遊技球を入賞可能な開放状態と入賞不能な閉鎖状態とに開閉される開閉入賞口と、該開閉入賞口を開閉させるラウンドを所定の回数を上限として一又は複数回繰り返し、１回のラウンドは予め定められた所定個数の遊技球が入賞すると終了する特別遊技を実行する特別遊技制御手段とを備えた弾球遊技機において、前記特別遊技制御手段は、前記ラウンドにおいて前記開閉入賞口に入賞する遊技球が所定領域を通過することに起因して抽選を行い、当選すると次ラウンドも開閉させるラウンド抽選手段と、該ラウンド抽選手段は、前記所定領域を通過する何番目の遊技球で抽選を行うかを予め決定する抽選順番決定手段と、該抽選順番決定手段により決定された抽選順位を表示する抽選順位表示手段と、を備えたことを特徴とする。
【手続補正３】
【補正対象書類名】明細書
【補正対象項目名】００１５
【補正方法】変更
【補正の内容】
【００１５】
請求項２に記載の弾球遊技機は、  請求項１に記載の弾球遊技機において、抽選順番決定手段は、少なくとも一部のラウンドで抽選順位を変更し、抽選順位表示手段は、抽選順位が変更されたときには、開閉入賞口を開放状態としたときに抽選順位を表示する、ことを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
特別遊技終了後に高確率状態に移行するか否かにより抽選順位を相違させても良い。これが請求項３に記載の弾球遊技機である。
【手続補正６】
【補正対象書類名】明細書
【補正対象項目名】００２０
【補正方法】変更
【補正の内容】
【００２０】
前記抽選順番決定手段により決定する抽選順位は、複数有しても良い。
【手続補正７】
【補正対象書類名】明細書
【補正対象項目名】００２３
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
請求項４に記載の弾球遊技機は、請求項１に記載の弾球遊技機において、特別遊技制御手段は、ラウンド抽選手段による抽選を行うことなく無条件で次のラウンドに進む無条件ラウンドを有する、ことを特徴とする。
【手続補正書】
【提出日】令和2年3月13日(2020.3.13)
【手続補正１】
【補正対象書類名】明細書
【補正対象項目名】０００６
【補正方法】変更
【補正の内容】
【０００６】
本発明に係るトンネル用パッケージ型消火装置は、トンネル内の長手方向に所定間隔で配設されるトンネル用パッケージ型消火装置であって、１台のメインユニットと、１台以上のホースユニットとからなる親子ユニット構成を複数備え、ホースユニットは、ノズル付きホースが格納されて構成されており、メインユニットは、ノズル付きホース、消火剤ユニット、消火剤ユニット内の消火剤をメインユニット内のノズル付きホースおよびホースユニット内のノズル付きホースのいずれかに選択的に供給する選択弁、が格納されて構成されているものである。
【手続補正２】
【補正対象書類名】特許請求の範囲
【補正対象項目名】全文
【補正方法】変更
【補正の内容】
【特許請求の範囲】
【請求項１】
トンネル内の長手方向に所定間隔で配設されるトンネル用パッケージ型消火装置であって、
１台のメインユニットと、１台以上のホースユニットとからなる親子ユニット構成を複数備え、
前記ホースユニットは、ノズル付きホースが格納されて構成されており、
前記メインユニットは、ノズル付きホース、消火剤ユニット、前記消火剤ユニット内の消火剤を前記メインユニット内のノズル付きホースおよび前記ホースユニット内のノズル付きホースのいずれかに選択的に供給する選択弁、が格納されて構成されている
トンネル用パッケージ型消火装置。
【請求項２】
複数の親子ユニット構成に含まれる各ユニットが前記トンネル内に配置される際に、異なる親子ユニット構成に属するユニットが隣接するように配置される
請求項１に記載のトンネル用パッケージ型消火装置。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
側壁に多数の通水孔を有する円筒状の内芯と、
厚み方向に真っすぐ貫通する多数の通水孔を有するとともに、折線を前記内芯の軸方向に平行にして前記内芯を筒状に包むプリーツ状の外芯と、
前記外芯に糸を巻回して形成される糸層と
を備え、
前記糸層は、少なくとも周方向の１箇所で、少なくとも一部の糸同士が接着されている糸巻フィルター。
【請求項２】
前記糸層は、半周ごとの２箇所のみで、少なくとも一部の糸同士が接着されている請求項１に記載の糸巻フィルター。
【請求項３】
前記外芯は、プリーツを有する板状部材を巻回してなる請求項１又は請求項２に記載の糸巻フィルター。
【請求項４】
前記糸層は、最も内側に巻回される内側部分が、内外方向の中間に巻回される中間部分よりも糸が太い請求項１から請求項３のいずれか１項に記載の糸巻フィルター。
【請求項５】
前記糸層は、最も外側に巻回される外側部分が、前記中間部分よりも糸が太い請求項１  から請求項４のいずれか１項に記載の糸巻フィルター。
【請求項６】
原水を貯留した浸漬槽に浸漬して用いられ、鉛直方向に延びる棒状孔からなるろ過室を備えたケーシングと、上端が閉じられた筒状をなし軸方向を鉛直方向にして前記ろ過室の内部に装填されるとともに外周面をろ過面とするろ過フィルターとを備え、前記ケーシングは、上端側に前記ろ過室の周壁と前記ろ過フィルターの間隙に連通する原水流入口を有するとともに、下端側に当該間隙に連通し、当該間隙を通過した原水からなる循環水を排出する循環水排出口、及び前記ろ過フィルターを通過したろ過水を排出するろ過水排出口を有するろ過モジュールであって、
前記ろ過室の周壁には、前記ろ過面を取り囲むようにらせん状の通水路が設けられ、
前記原水流入口は、上方に開口し、
前記ろ過室は、前記原水流入口と前記間隙を連通する原水溜まりを有し、
前記原水溜まりは、下端部に下方に向けて徐々に縮径するホッパー状部を含み、
前記らせん状の通水路は、前記原水溜まりに始端を有し、
前記ろ過フィルターは、糸巻フィルターからなり、
前記糸巻フィルターは、側壁に多数の通水孔を有する円筒状の内芯と、多数の通水孔を有するとともに、折線を前記内芯の軸方向に平行にして前記内芯を筒状に包むプリーツ状の外芯と、前記外芯に糸を巻回して形成される糸層とを備え、前記糸層は、少なくとも周方向の１箇所で、少なくとも一部の糸同士が接着されていることを特徴とするろ過モジュール。
【手続補正２】
【補正対象書類名】明細書
【補正対象項目名】０００９
【補正方法】変更
【補正の内容】
【０００９】
上記課題を解決するためになされた本発明は、側壁に多数の通水孔を有する円筒状の内芯と、厚み方向に真っすぐ貫通する多数の通水孔を有するとともに、折線を前記内芯の軸方向に平行にして前記内芯を筒状に包むプリーツ状の外芯と、前記外芯に糸を巻回して形成される糸層とを備え、前記糸層は、少なくとも周方向の１箇所で、少なくとも一部の糸同士が接着されている糸巻フィルターである。
【手続補正３】
【補正対象書類名】明細書
【補正対象項目名】００１１
【補正方法】変更
【補正の内容】
【００１１】
前記糸層は、半周ごとの２箇所のみで、少なくとも一部の糸同士が接着されていることが好ましい。
こうすることで、糸の１周分の半分を、逆洗の際に、伸縮させたり振動させたりできる。
【手続補正４】
【補正対象書類名】明細書
【補正対象項目名】００１５
【補正方法】変更
【補正の内容】
【００１５】
本発明は、原水を貯留した浸漬槽に浸漬して用いられ、鉛直方向に延びる棒状孔からなるろ過室を備えたケーシングと、上端が閉じられた筒状をなし軸方向を鉛直方向にして前記ろ過室の内部に装填されるとともに外周面をろ過面とするろ過フィルターとを備え、前記ケーシングは、上端側に前記ろ過室の周壁と前記ろ過フィルターの間隙に連通する原水流入口を有するとともに、下端側に当該間隙に連通し、当該間隙を通過した原水からなる循環水を排出する循環水排出口、及び前記ろ過フィルターを通過したろ過水を排出するろ過水排出口を有するろ過モジュールであって、前記ろ過室の周壁には、前記ろ過面を取り囲むようにらせん状の通水路が設けられ、前記原水流入口は、上方に開口し、前記ろ過室は、前記原水流入口と前記間隙を連通する原水溜まりを有し、前記原水溜まりは、下端部に下方に向けて徐々に縮径するホッパー状部を含み、前記らせん状の通水路は、前記原水溜まりに始端を有し、前記ろ過フィルターは、糸巻フィルターからなり、前記糸巻フィルターは、側壁に多数の通水孔を有する円筒状の内芯と、多数の通水孔を有するとともに、折線を前記内芯の軸方向に平行にして前記内芯を筒状に包むプリーツ状の外芯と、前記外芯に糸を巻回して形成される糸層とを備え、前記糸層は、少なくとも周方向の１箇所で、少なくとも一部の糸同士が接着されていることを特徴とするろ過モジュールを含む。
本発明のろ過モジュールは、このように、ろ過室の周壁にらせん状の通水路が設けられ
ているため、ろ過フィルターとろ過室周壁の間隙に流入した原水は、らせん状の通水路に
流入して旋回しながら流下する。この原水の旋回による遠心力により、原水中の夾雑物が
ろ過面から遠ざかる方へ分離される。加えて、らせん状に旋回する水流と、ろ過フィルタ
ーのろ過面に沿って鉛直に流下する水流とが相俟って、ろ過フィルター表面に多様な水流
を生ぜしめることができるため、糸巻フィルターに付着したろ滓を効率的に除去すること
ができる。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
印刷ヘッドを有する印刷機構部と、
印刷用紙を収納する用紙収納部と、
前記用紙収納部から前記印刷用紙を前記印刷機構部に搬送する搬送手段と、
前記用紙収納部に配置される発光部と受光部とを有する複数の反射型のセンサであって、異なる種類の前記印刷用紙にそれぞれ異なるパターンで形成された複数のマークを検出することにより、前記印刷用紙の種類または前記印刷用紙の状態を検出するための複数の反射型のセンサと、
を備えることを特徴とするプリンタ。
【請求項２】
前記反射型のセンサは、前記用紙収納部における印刷用紙の幅方向の中心線に対して少なくとも一方側に１つ、他方側に２つ配置されていることを特徴とする請求項１に記載のプリンタ。
【請求項３】
前記用紙収納部は、前記印刷用紙を前記反射型のセンサに向けて押さえる紙押さえを備える蓋部を有することを特徴とする請求項１または２に記載のプリンタ。
【請求項４】
前記紙押さえは、前記反射型のセンサに対して前記印刷用紙の平面方向にずれて配置されていることを特徴とする請求項３に記載のプリンタ。
【請求項５】
前記紙押さえは、前記印刷用紙の幅方向の中心線に対して対称な位置に配置されていることを特徴とする請求項３または４に記載のプリンタ。
【請求項６】
前記反射型のセンサは、前記用紙収納部に３つ配置されていることを特徴とする請求項１乃至５のいずれか１項に記載のプリンタ。
【請求項７】
前記印刷用紙の幅方向の中心線に対して一方側に配置されている１つの前記反射型のセンサと、前記印刷用紙の幅方向の中心線に対して他方側に配置されている２つの前記反射型のセンサのうちの１つのセンサは、前記印刷用紙の中心に対して互いに点対称な位置に配置されていることを特徴とする請求項１乃至６のいずれか１項に記載のプリンタ。
【請求項８】
複数の前記反射型のセンサは、前記印刷用紙が通常の印刷用紙であるか、複写紙のタイプの印刷用紙であるか、切り取り用紙のタイプの印刷用紙であるかを検出することを特徴とする請求項１乃至７のいずれか１項に記載のプリンタ。
【請求項９】
複数の前記反射型のセンサは、前記用紙収納部に、前記印刷用紙が、表裏が逆に収納されていることを検出することを特徴とする請求項１乃至８のいずれか１項に記載のプリンタ。
【請求項１０】
複数の前記反射型のセンサは、前記用紙収納部に、前記印刷用紙が該印刷用紙の搬送方向に対して逆向きに収納されていることを検出することを特徴とする請求項１乃至９のいずれか１項に記載のプリンタ。
【請求項１１】
前記反射型のセンサは、該反射型のセンサが前記印刷用紙の前記マークが形成された部分に対向する場合は論理値として「０」を出力し、前記反射型のセンサが前記印刷用紙の前記マークが形成されていない面に対向する場合は論理値として「１」を出力することを特徴とする請求項１乃至１０のいずれか１項に記載のプリンタ。
【請求項１２】
前記印刷ヘッドがサーマルヘッドであることを特徴とする請求項１乃至１１のいずれか１項に記載のプリンタ。
【手続補正２】
【補正対象書類名】明細書
【補正対象項目名】０００７
【補正方法】変更
【補正の内容】
【０００７】
本発明に係わるプリンタは、印刷ヘッドを有する印刷機構部と、印刷用紙を収納する用紙収納部と、前記用紙収納部から前記印刷用紙を前記印刷機構部に搬送する搬送手段と、前記用紙収納部に配置される発光部と受光部とを有する複数の反射型のセンサであって、異なる種類の前記印刷用紙にそれぞれ異なるパターンで形成された複数のマークを検出することにより、前記印刷用紙の種類または前記印刷用紙の状態を検出するための複数の反射型のセンサと、を備えることを特徴とする。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
人眼の視軸に対して傾斜した撮影光軸を介して照明光を投受光することによって、人眼の隅角領域を撮影する眼科撮影装置のための模型眼であって、
円筒形状の本体部と、
前記本体部の前面から入射した前記照明光の少なくとも一部が照射され、前記本体部の後面において、その外側の領域とは明暗が異なる疑似虹彩部と、を備え、
前記疑似虹彩部の外周近傍の領域が、前記隅角領域を模した疑似隅角部を形成する、模型眼。
【請求項２】
前記疑似虹彩部は、その外側の領域に対して暗色が付されている請求項１記載の模型眼。
【請求項３】
前記疑似虹彩部は、前記外周が前記本体部の中心軸を中心とする円形状に形成される、請求項１又は２記載の模型眼。
【請求項４】
前記疑似隅角部には、前記隅角領域における線状特徴部を模した模様を、疑似特徴部として更に備えることを特徴とする請求項１から３のいずれかに記載の模型眼。
【手続補正２】
【補正対象書類名】明細書
【補正対象項目名】発明の名称
【補正方法】変更
【補正の内容】
【発明の名称】模型眼
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
可搬型に構成され放射線検出器を用いて放射線画像撮影を行い撮影画像を得る放射線画像撮影装置と、前記放射線画像撮影装置との間で通信可能な端末装置と、を備える放射線画像表示システムであって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を前記端末装置に対して提供可能な提供部と、を備えており、
前記端末装置は、
各種データに基づいて表示を行う表示部と、
前記提供部と通信を行い、前記放射線画像撮影装置から前記閲覧情報を取得して、前記閲覧情報に基づき、前記撮影画像を前記表示部に表示させる閲覧機能部と、
を備えていることを特徴とする放射線画像表示システム。
【請求項２】
前記放射線画像撮影装置は、前記放射線画像撮影に関する撮影オーダー情報を、端末装置に提供可能な状態で記憶する撮影オーダー情報記憶部をさらに備えていることを特徴とする請求項１に記載の放射線画像表示システム。
【請求項３】
前記提供部は、前記撮影オーダー情報記憶部内の前記撮影オーダー情報を前記閲覧機能部からの要求に応じて前記端末装置に提供可能であり、
前記閲覧機能部は、前記提供部により提供された前記撮影オーダー情報を前記表示部に表示させるようになっていることを特徴とする請求項２に記載の放射線画像表示システム。
【請求項４】
前記撮影オーダー情報の中から任意の撮影オーダー情報を設定する設定部と、
前記放射線検出器により撮影された前記撮影画像のデータを、前記設定部により設定された設定撮影オーダー情報と対応付けて記憶させる記憶制御部と、
をさらに備えていることを特徴とする請求項２又は請求項３に記載の放射線画像表示システム。
【請求項５】
前記設定部は、前記端末装置に設けられており、
前記閲覧機能部は、前記設定部により設定された前記設定撮影オーダー情報を、前記提供部に返送することを特徴とする請求項４に記載の放射線画像表示システム。
【請求項６】
前記放射線画像撮影装置の前記放射線検出器は、前記端末装置の前記閲覧機能部から前記設定撮影オーダー情報が返送されることで撮影可能状態に遷移し、
前記記憶制御部は、前記撮影可能状態の下で撮影された前記撮影画像のデータと前記設定撮影オーダー情報とを対応付けて記憶させることを特徴とする請求項５に記載の放射線画像表示システム。
【請求項７】
放射線検出器を用いて放射線画像撮影を行い撮影画像を得る放射線画像撮影装置であって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を、通信可能な端末装置に対して提供可能な提供部と、
を備えることを特徴とする放射線画像撮影装置。
【手続補正２】
【補正対象書類名】明細書
【補正対象項目名】発明の名称
【補正方法】変更
【補正の内容】
【発明の名称】放射線画像表示システム及び放射線画像撮影装置
【手続補正３】
【補正対象書類名】明細書
【補正対象項目名】０００１
【補正方法】変更
【補正の内容】
【０００１】
本発明は、放射線画像表示システム及び放射線画像撮影装置に関する。
【手続補正４】
【補正対象書類名】明細書
【補正対象項目名】０００７
【補正方法】変更
【補正の内容】
【０００７】
本発明は上記事情に鑑みてなされたものであり、コンソールのない場所でも簡易に撮影を行うことができ、撮影画像等をその場で簡易・迅速に確認することを可能とする放射線画像表示システム及び放射線画像撮影装置を提供することを目的とする。
【手続補正５】
【補正対象書類名】明細書
【補正対象項目名】０００８
【補正方法】変更
【補正の内容】
【０００８】
上記課題を解決するため、請求項１に記載の放射線画像表示システムは、
可搬型に構成され放射線検出器を用いて放射線画像撮影を行い撮影画像を得る放射線画像撮影装置と、前記放射線画像撮影装置との間で通信可能な端末装置と、を備える放射線画像表示システムであって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を前記端末装置に対して提供可能な提供部と、を備えており、
前記端末装置は、
各種データに基づいて表示を行う表示部と、
前記提供部と通信を行い、前記放射線画像撮影装置から前記閲覧情報を取得して、前記閲覧情報に基づき、前記撮影画像を前記表示部に表示させる閲覧機能部と、
を備えていることを特徴とする。
また、請求項７に記載の放射線画像撮影装置は、
放射線検出器を用いて放射線画像撮影を行い撮影画像を得る放射線画像撮影装置であって、
前記放射線画像撮影装置は、
前記撮影画像をデータとして記憶する画像データ記憶部と、
Ｗｅｂサーバー機能により、前記画像データ記憶部に記憶されている前記データに基づく前記撮影画像を閲覧するための閲覧情報を、通信可能な端末装置に対して提供可能な提供部と、
を備えることを特徴とする。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
被制御部と、
使用者の状態を検出する検出部と、
前記使用者の前記状態に対応付けて記憶された被制御部情報に基づいて前記被制御部を制御する制御部と、
を備え、
前記制御部は、前記使用者の前記状態が所定の状態であると判断した場合に、前記所定の状態に対応する前記被制御部情報に基づいて前記被制御部を制御する電動家具。
【請求項２】
前記制御部は、操作受付部を含み、
前記被制御部情報は、前記操作受付部が操作された場合の前記被制御部の状態を記憶した情報を含む請求項１記載の電動家具。
【請求項３】
前記被制御部は、可動部を含み、
前記制御部は、前記検出部により検出された前記使用者の前記状態に基づいて前記可動部を動かす可動部制御を行う、請求項１又は２記載の電動家具。
【請求項４】
前記可動部は、高さ変更部を含み、
前記制御部は、前記使用者の前記所定の状態が睡眠状態であるときに、前記高さ変更部の高さを下げる、請求項３記載の電動家具。
【請求項５】
前記可動部は、高さ変更部を含み、
前記制御部は、前記使用者の前記状態が端座位であるときに、前記高さ変更部の高さを端座位高さに調整する、請求項３記載の電動家具。
【請求項６】
前記可動部と床との間の空間に存在する物体を検知する床部検知器と、
をさらに備え、
前記床部検知器が前記可動部と前記床との間の前記空間の前記物体を検知したときは、前記制御部は、前記可動部制御を実施しない、請求項３〜５のいずれか１つに記載の電動家具。
【請求項７】
前記可動部は、背ボトムを含み、
前記制御部は、前記使用者の前記状態が入眠であるときに、前記背ボトムを傾斜させ、
前記制御部は、前記使用者の前記状態が前記入眠の後の睡眠であるときに、前記背ボトムを水平に向かって変化させる、請求項３〜６のいずれか１つに記載の電動家具。
【請求項８】
前記背ボトムの傾斜の角度は４度以上２４度未満であり、
前記制御部は、前記使用者の前記状態が前記入眠の後の前記睡眠であるときに、前記背ボトムの角度を４度未満にする、請求項７記載の電動家具。
【請求項９】
前記可動部は、背ボトムを含み、
前記制御部は、前記使用者の前記状態が起き上がりのときに、前記背ボトムの角度を大きくする、請求項３〜６のいずれか１つに記載の電動家具。
【請求項１０】
フレームと、
前記フレームと前記可動部との間の空間に存在する物体を検知するフレーム部検知器と、
さらに備え、
前記フレーム部検知器が前記フレームと前記可動部との間の前記空間の前記物体を検知したときは、前記制御部は、前記可動部制御を実施しない、請求項３〜９のいずれか１つに記載の電動家具。
【請求項１１】
前記使用者の身体の位置を検出する身体検知器をさらに備え、
前記身体検知器が前記身体の少なくとも一部が前記電動家具と重なることを検知したときは、前記制御部は、前記可動部制御を実施しない、請求項３〜１０のいずれか１つに記載の電動家具。
【請求項１２】
操作受付部を含む制御装置をさらに備え、
前記可動部は、前記操作受付部が受け付けた制御操作に応じて動き、
前記検出部により検出された前記使用者の前記状態に基づいて前記可動部が動くときの速度は、前記操作受付部が受け付けた前記制御操作に応じて前記可動部が動くときの速度とは異なる、請求項３〜１１のいずれか１つに記載の電動家具。
【請求項１３】
前記使用者の前記状態に関する使用者状態情報と、前記使用者状態情報に対応する前記可動部の状態に関する可動部情報と、を記憶する記憶部をさらに備え、
前記制御部は、前記記憶部に記憶された可動部情報に基づいて前記可動部を動かす、請求項３〜１２のいずれか１つに記載の電動家具。
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
医用画像の画像処理を行う複数の画像処理部と、
CPU(Central Processing Unit)が管理するメモリを介さずに、前記複数の画像処理部それぞれが出力する前記医用画像を集約するとともに、前記複数の画像処理部それぞれに対して、前記医用画像を分配する分配集約部と
を備える医用画像処理装置。
【請求項２】
前記分配集約部は、さらに、前記複数の画像処理部それぞれに対して、前記医用画像の入出力I/F(Interface)が出力する前記医用画像を分配するとともに、集約後の前記医用画像を、前記入出力I/Fに供給する
請求項１に記載の医用画像処理装置。
【請求項３】
前記分配集約部による前記医用画像の分配及び集約を制御することにより、前記医用画像の画像処理のデータフローを制御する制御部をさらに備える
請求項１または請求項２に記載の医用画像処理装置。
【請求項４】
前記医用画像の集約後、前記医用画像の分配の前に、前記医用画像に、所定の信号処理を施す信号処理部をさらに備える
請求項１乃至請求項３のいずれかに記載の医用画像処理装置。
【請求項５】
前記分配集約部は、
前記医用画像の集約を行う集約部と、
前記集約部が出力する前記医用画像に、所定の信号処理を施す前記信号処理部と、
前記信号処理部が出力する前記医用画像を分配する分配部と
を有する
請求項４に記載の医用画像処理装置。
【請求項６】
前記画像処理部は、GPU(Graphical Processing Unit)で構成される
請求項１乃至請求項５のいずれかに記載の医用画像処理装置。
【請求項７】
前記分配集約部は、FPGA(Field-Programmable Gate Array)で構成される
請求項１乃至請求項６のいずれかに記載の医用画像処理装置。
【請求項８】
前記画像処理部と前記分配集約部とは、所定の転送速度より高速でのデータ転送が可能なバスI/F(Interface)を介して接続される
請求項１乃至請求項７のいずれかに記載の医用画像処理装置。
【請求項９】
前記バスI/Fは、PCIe(Peripheral Component Interconnect Express)のI/Fである
請求項８に記載の医用画像処理装置。
【請求項１０】
CPU(Central Processing Unit)が管理するメモリを介さずに、医用画像の画像処理を行う複数の画像処理部それぞれが出力する前記医用画像を集約するとともに、前記複数の画像処理部それぞれに対して、前記医用画像を分配する
ことを含む医用画像処理方法。
【請求項１１】
医用画像を撮影する内視鏡と、
前記医用画像を処理する医用画像処理装置と
を備え、
前記医用画像処理装置は、
前記医用画像の画像処理を行う複数の画像処理部と、
CPU(Central Processing Unit)が管理するメモリを介さずに、前記複数の画像処理部それぞれが出力する前記医用画像を集約するとともに、前記複数の画像処理部それぞれに対して、前記医用画像を分配する分配集約部と
を有する
内視鏡システム。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
被検眼の隅角を撮影する眼科装置であって、
被検眼の隅角へ照明光を投光する投光光学系と、
前記隅角からの反射光を受光する受光素子を有する受光光学系と、を備え、
前記投光光学系の少なくとも一部の光学素子に遮光部が設けられることを特徴とする眼科装置。
【請求項２】
前記遮光部は、前記光学素子において、前記照明光が通過する周辺領域よりも内側に位置する中央領域に設けられることを特徴とする請求項１の眼科装置。
【請求項３】
前記遮光部は、中央に開口部を有する環状であることを特徴とする請求項１または２の眼科装置。
【請求項４】
固視光源からの固視光束を前記被検眼に投光する固視光学系をさらに備え、
前記固視光束は、前記開口部を介して前記被検眼に入射することを特徴とする請求項３の眼科装置。
【請求項５】
前記投光光学系は、光軸方向において隣り合う第１光学素子と第２光学素子を備え、
前記遮光部は、前記第１光学素子および前記第２光学素子の対面側にそれぞれ設けられることを特徴とする請求項１〜４のいずれかの眼科装置。
【請求項６】
被検眼の隅角を撮影する眼科装置において用いられる光学素子であって、
前記光学素子の前面側に設けられた反射面と、
前記光学素子の後面側に設けられた透光面と、
前記透光面に設けられた遮光部と、を備えることを特徴とする光学素子。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
被検眼の隅角を撮影する眼科装置であって、
被検眼の隅角へ照明光を投光する投光光学系と、
前記投光光学系の光軸上に挿入される光学素子を装着可能な装着部と、を備え、
前記装着部は、前記光学素子の姿勢を規制する規制手段を備えることを特徴とする眼科装置。
【請求項２】
前記規制手段は、前記光学素子の光軸回りの回転角度を規制することを特徴とする請求項２の眼科装置。
【請求項３】
前記光学素子は、複数の反射面を有し、
前記規制手段は、前記反射面が所定方向を向くように前記光学素子の姿勢を規制することを特徴とする請求項１または２の眼科装置。
【請求項４】
前記規制手段は、前記光学素子を保持するホルダの一部と嵌合することによって、前記光学素子の姿勢を規制する嵌合部を備えることを特徴とする請求項１〜３のいずれかの眼科装置。
【請求項５】
前記嵌合部は、前記装着部の形状がどの経線に対しても非対称な位置に配置されることを特徴とする請求項４の眼科装置。
【請求項６】
被検眼の隅角を撮影する眼科装置において用いられる光学素子であって、
前記光学素子の前面側に設けられた反射面と、
前記光学素子の後面側に設けられた透光面と、を備え、
請求項１〜５のいずれかの前記装着部に装着されることを特徴とする光学素子。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
被検眼の眼底の検査部位に刺激光を投光する投光手段と、
前記刺激光による被検者の反応を取得する反応取得手段と、
前記眼底の眼底像を取得する眼底像取得手段と、
前記眼底の血管を検出する血管検出手段と、
前記検査部位と前記血管の位置関係に基づき、前記血管による前記反応への影響を予測する予測手段と、
前記予測手段の予測結果を検者に報知する報知手段と、
を備えることを特徴とする視機能検査装置。
【請求項２】
請求項１に記載の視機能検査装置は、
前記予測手段は前記影響の度合いを判定し、
前記報知手段は前記度合いを報知する、
ことを特徴とする視機能検査装置。
【請求項３】
請求項２に記載の視機能検査装置は、
前記予測手段は、前記刺激光のサイズ、又は前記血管の太さを考慮する、
ことを特徴とする視機能検査装置。
【請求項４】
請求項１〜３のいずれか１項に記載の視機能検査装置は、
前記眼底像上に前記刺激光に関する検査情報を重ねた合成画像を生成する合成手段を備え、
前記検査情報は前記眼底像上の前記検査部位の位置に配置され、
前記報知手段は前記予測手段の予測結果に基づき前記検査情報の色調、階調、又は形状を決定する、
ことを特徴とする視機能検査装置。
【請求項５】
請求項４に記載の視機能検査装置は、
前記検査情報には閾値が含まれる、ことを特徴とする視機能検査装置。
【請求項６】
請求項１〜５のいずれか１項に記載の視機能検査装置は、
受光素子を有し、前記受光素子を用いて前記眼底像を取得する撮像光学系と、
前記眼底に前記刺激光を投光する刺激光学系と、
前記眼底像を解析して、前記刺激光の前記眼底上への投光位置を補正する補正手段と、
を備えたことを特徴とする視機能検査装置。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
モータと、
前記モータを収容するハウジングと、
前記モータによって回転するファンと、
前記ハウジングのモータ収容部の側方に配置されて、前記モータに電力を供給する電池パックと、
前記ハウジングに設けられる第１の風窓と、
前記電池パックの内部を冷却するための第２の風窓と、を備え、
前記ファンの回転によって、前記第１の風窓と前記ファンとを結ぶ第１の冷却風路と、前記第２の風窓と前記ファンとを結ぶ第２の冷却風路とが形成されることを特徴とする電動工具。
【請求項２】
前記第２の風窓は前記電池パックに設けられていることを特徴とする請求項１に記載の電動工具。
【請求項３】
前記第２の風窓は前記ハウジングに設けられる排気口であることを特徴とする請求項１に記載の電動工具。
【請求項４】
前記第２の冷却風路においては、前記電池パック内から前記ファンに向けて冷却風が流れることを特徴とする請求項２に記載の電動工具。
【請求項５】
前記第２の冷却風路においては、前記ファンから前記電池パックに向けて冷却風が流れることを特徴とする請求項２又は３に記載の電動工具。
【手続補正２】
【補正対象書類名】明細書
【補正対象項目名】０００６
【補正方法】変更
【補正の内容】
【０００６】
本発明のある態様は電動工具である。この電動工具は、
モータと、
前記モータを収容するハウジングと、
前記モータによって回転するファンと、
前記ハウジングのモータ収容部の側方に配置されて、前記モータに電力を供給する電池パックと、
前記ハウジングに設けられる第１の風窓と、
前記電池パックの内部を冷却するための第２の風窓と、を備え、
前記ファンの回転によって、前記第１の風窓と前記ファンとを結ぶ第１の冷却風路と、前記第２の風窓と前記ファンとを結ぶ第２の冷却風路とが形成されることを特徴とする。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
第１音演出と第２音演出を含む複数の音演出を実行可能な音演出手段と、
第１光演出と第２光演出を含む複数の光演出を実行可能な光演出手段と、
前記音演出手段による音演出を実行制御する音演出制御手段と、
前記光演出手段による光演出を実行制御する光演出制御手段と、を備え、
前記音演出と前記光演出のそれぞれの実行時期の少なくとも一部が重なって実行可能に構成された遊技機であって、
前記光演出制御手段は、
前記第１音演出中に前記第１光演出を実行可能であり、
前記第２音演出中に前記第２光演出を実行可能であり、
前記第１音演出から前記第２音演出に切り替わる場合に、前記第１光演出と前記第２光演出の間に消灯演出を実行可能である、
ことを特徴とする遊技機。
【請求項２】
前記音演出制御手段は、
前記第１音演出から前記第２音演出に切り替える場合に、前記第１音演出と前記第２音演出の間に小音量演出を実行可能である、
ことを特徴とする請求項１に記載の遊技機。
【請求項３】
前記音演出制御手段は、
前記第１音演出から前記第２音演出に切り替える場合に、少なくとも前記消灯演出実行中は前記第１音演出を実行し、前記消灯演出の終了より後に前記第２音演出を実行可能である、
ことを特徴とする請求項１に記載の遊技機。
【手続補正２】
【補正対象書類名】明細書
【補正対象項目名】０００５
【補正方法】変更
【補正の内容】
【０００５】
しかしながら、上記遊技機では、ＢＧＭの切替えによりスピーカやランプの演出態様が変化した際に、遊技者に不快感を与える恐れがある。
【手続補正３】
【補正対象書類名】明細書
【補正対象項目名】０００６
【補正方法】変更
【補正の内容】
【０００６】
そこで本発明の目的は、上記課題を解決し、演出の変化により遊技者が受ける不快感を防止しうる遊技機を提供することにある。
【手続補正４】
【補正対象書類名】明細書
【補正対象項目名】０００９
【補正方法】変更
【補正の内容】
【０００９】
本発明によれば、演出の変化により遊技者が受ける不快感を防止し得る。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
ドデカン二酸ジヒドラジド及びイソフタル酸ジヒドラジドよりなる群から選ばれる少なくとも１種のヒドラジン化合物と無機多孔質材料とを含有し、且つ、製造過程において150℃以上に加熱するか、150℃以上に加熱して使用される建材、加熱用プラスチック又はフィルター（ただし、ポリエステル繊維を用いたフィルターを除く）に用いられる、臭気物質吸着剤。
【請求項２】
ドデカン二酸ジヒドラジド及びイソフタル酸ジヒドラジドよりなる群から選ばれる少なくとも１種のヒドラジン化合物を含有し、且つ、製造過程において150℃以上に加熱するか、150℃以上に加熱して使用される建材、加熱用プラスチック又はフィルター（ただし、ポリエステル繊維を用いたフィルター、タバコ消臭性ポリオレフィン捲縮繊維及びカーペットのパイル部を除く）に用いられる、臭気物質吸着剤。
【請求項３】
さらに、無機多孔質材料を含有する、請求項２に記載の臭気物質吸着剤。
【請求項４】
前記無機多孔質材料がケイ素を含む化合物である、請求項１又は３に記載の臭気物質吸着剤。
【請求項５】
前記無機多孔質材料がシリカを含む化合物である、請求項１、３又は４に記載の臭気物質吸着剤。
【請求項６】
前記無機多孔質材料がシリカである、請求項１、３、４又は５に記載の臭気物質吸着剤。
【請求項７】
前記ヒドラジン化合物が、ドデカン二酸ジヒドラジドである、請求項１〜６のいずれか1項に記載の臭気物質吸着剤。
【請求項８】
さらに、吸湿剤、高吸水性高分子、並びに水和物構造を取り得る化合物及びその水和物よりなる群から選ばれる少なくとも1種を含有する、請求項１〜７のいずれか1項に記載の臭気物質吸着剤。
【請求項９】
前記臭気物質がアルデヒド化合物である、請求項１〜８のいずれか1項に記載の臭気物質吸着剤。
【請求項１０】
請求項１及び３〜９のいずれか1項に記載の臭気物質吸着剤を含む、製造過程において150℃以上に加熱するか、150℃以上に加熱して使用される建材、加熱用プラスチック又はフィルター（ただし、ポリエステル繊維を用いたフィルターを除く）。
【請求項１１】
請求項２〜９のいずれか1項に記載の臭気物質吸着剤を含む、製造過程において150℃以上に加熱するか、150℃以上に加熱して使用される建材、加熱用プラスチック又はフィルター（ただし、ポリエステル繊維を用いたフィルター、タバコ消臭性ポリオレフィン捲縮繊維及びカーペットのパイル部を除く）。
【請求項１２】
請求項１及び３〜９のいずれか1項に記載の臭気物質吸着剤の、製造過程において150℃以上に加熱するか、150℃以上に加熱して使用される建材、加熱用プラスチック又はフィルター（ただし、ポリエステル繊維を用いたフィルターを除く）への使用。
【請求項１３】
請求項２〜９のいずれか1項に記載の臭気物質吸着剤の、製造過程において150℃以上に加熱するか、150℃以上に加熱して使用される建材、加熱用プラスチック又はフィルター（ただし、ポリエステル繊維を用いたフィルター、タバコ消臭性ポリオレフィン捲縮繊維及びカーペットのパイル部を除く）への使用。
【請求項１４】
臭気物質と、請求項１〜９のいずれか1項に記載の臭気物質吸着剤とを、150℃以上で接触させる工程を備える、臭気物質の吸着方法。
【請求項１５】
ドデカン二酸ジヒドラジド及びイソフタル酸ジヒドラジドよりなる群から選ばれる少なくとも１種のヒドラジン化合物と無機多孔質材料とを含有する臭気物質吸着剤を用いて、製造過程において150℃ 以上に加熱することを特徴とする、工業製品の製造方法。
【請求項１６】
ドデカン二酸ジヒドラジド及びイソフタル酸ジヒドラジドよりなる群から選ばれる少なくとも１種のヒドラジン化合物を含有する臭気物質吸着剤を用いて、製造過程において150℃ 以上に加熱することを特徴とする、工業製品の製造方法。
【手続補正書】
【提出日】令和2年1月17日(2020.1.17)
【手続補正１】
【補正対象書類名】明細書
【補正対象項目名】０１０１
【補正方法】変更
【補正の内容】
【０１０１】
自動攻撃モードとは、自動で攻撃アクションをしつつ、操作対象をマニュアル操作で移動させるモードである。自動攻撃モードの場合、通常モードのように、操作入力部９に対する指の移動に連動して、機能状態表示部属性１５ａ及び水平・方向表示部属性１５ｂが変化するが、同時に、自動的に、攻撃アクションが行なわれる。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
コイルエレメントを有するＲＦコイル装置と、
前記ＲＦコイル装置を接続可能なポートと、
ＲＦパルスおよび傾斜磁場を印加しない状態で前記ＲＦコイル装置により検出された信号を、前記ポートを介して受信し、ＡＤ変換器でＡＤ変換を行なう受信回路と、
前記受信回路により受信された信号に基づいて異常を検出する検出部と、を備え、
前記受信回路は、少なくとも１つの前記ＲＦコイル装置が前記ポートに接続された状態で、前記コイルエレメントと前記ＡＤ変換器との間の区間に設けられた少なくとも１つのスイッチのＯＮ／ＯＦＦを切り替えて前記信号を受信し、
前記検出部は、
前記コイルエレメントと前記ＡＤ変換器とが接続された状態にある第１の経路の信号と、前記コイルエレメントと前記ＡＤ変換器とが接続されていない状態にある第２の経路の信号とを比較して、前記異常を検出する、
磁気共鳴イメージング装置。
【請求項２】
前記ＲＦコイル装置は、前記コイルエレメントからの出力を増幅するプリアンプを有し、
前記第２の経路の信号は、前記ＲＦコイル装置が接続されていないポートに関する信号であって、
前記検出部は、前記異常として、前記プリアンプから前記スイッチまでの経路の異常を検出する、
請求項１記載の磁気共鳴イメージング装置。
【請求項３】
前記ポートは、複数の端子を有し、
前記第２の経路の信号は、前記ＲＦコイル装置が接続された前記ポートにおいて、前記複数の端子のうち前記コイルエレメントが接続されていない端子に関する信号であって、
前記検出部は、前記異常として、前記コイルエレメントから前記端子までの経路の異常を検出する、
請求項１記載の磁気共鳴イメージング装置。
【請求項４】
前記スイッチは、前記コイルエレメントにおける電気的結合を切り離すデカップリングスイッチであって、
前記検出部は、前記デカップリングスイッチがＯＮ状態にあるときに取得された前記第１の経路の信号と、前記デカップリングスイッチがＯＦＦ状態にあるときに取得された前記第１の経路の信号とを、同一のコイルエレメントに関して比較することにより、前記コイルエレメントから前記プリアンプまでの経路の異常をさらに検出する、
請求項２記載の磁気共鳴イメージング装置。
【請求項５】
前記スイッチは、前記プリアンプへの入力として、前記ＲＦコイル装置に設けられた終端抵抗と前記コイルエレメントとの接続を切り替えるエレメントスイッチであって、
前記検出部は、
前記ＲＦコイル装置が接続されたポートにおいて前記プリアンプと前記終端抵抗とが接続された状態にあるときに取得された前記第２の経路の信号と、前記ＲＦコイル装置が接続されていないポートに関する前記第２の経路の信号とを比較することにより、前記プリアンプから前記ＡＤ変換器までの経路の異常をさらに検出する、
請求項２記載の磁気共鳴イメージング装置。
【請求項６】
前記受信回路は、前記ＡＤ変換器と前記スイッチとの間の経路に設けられたアンプをさらに有し、
前記第１の経路の信号と前記第２の経路の信号とは、前記アンプを介して出力された信号である、
請求項１乃至５のうちいずれか一項に記載の磁気共鳴イメージング装置。
【請求項７】
前記検出部は、前記異常の検出を、被検体に対する検査時間外に実行する、
請求項１乃至６のうちいずれか一項に記載の磁気共鳴イメージング装置。
【請求項８】
前記検出部は、
所定の期間に亘って前記第１の経路の信号を平均化することにより、前記第１の経路の信号のレベルを取得し、
前記期間に亘って前記第２の経路の信号を平均化することにより、前記第２の経路の信号のレベルを取得し、
前記第１の経路の信号のレベルと前記第２の経路の信号のレベルとを比較することにより、前記異常を検出する、
請求項１乃至７のうちいずれか一項に記載の磁気共鳴イメージング装置。
【請求項９】
コイルエレメントと前記コイルエレメントからの出力を増幅するプリアンプと前記コイルエレメントにおける電気的結合を切り離すデカップリングスイッチとを有するＲＦコイル装置と、
前記ＲＦコイル装置が接続されたポートと、
撮像空間に配置されたファントムに対するＲＦパルスおよび傾斜磁場の印加により発生された磁気共鳴信号を前記ポートを介して受信し、前記ＲＦパルスおよび前記傾斜磁場を印加しない状態で前記ＲＦコイル装置により検出された検出信号を前記ポートを介して受信し、ＡＤ変換器でＡＤ変換を行なう受信回路と、
前記磁気共鳴信号に基づいて前記ファントムの信号対雑音比を測定し、前記信号対雑音比が所定の規格値未満となった場合、前記検出信号に基づいて異常を検出する検出部と、
前記異常の箇所を表示するディスプレイと、
を備え、
前記受信回路は、前記コイルエレメントと前記ＡＤ変換器との間の区間に設けられた少なくとも１つのスイッチのＯＮ／ＯＦＦを切り替えて前記検出信号を受信し、
前記検出部は、
前記検出信号のうち、前記コイルエレメントと前記ＡＤ変換器とが接続された状態にある第１の経路の信号と、前記コイルエレメントと前記ＡＤ変換器とが接続されていない状態にある第２の経路の信号とを比較して、前記異常を検出し、
前記デカップリングスイッチがＯＮ状態にあるときに取得された前記第１の経路の信号と前記デカップリングスイッチがＯＦＦ状態にあるときに取得された前記第１の経路の信号とを、同一のコイルエレメントに関して比較することにより、前記コイルエレメントから前記プリアンプまでの経路の異常をさらに検出する、
磁気共鳴イメージング装置。
【請求項１０】
コイルエレメントと前記コイルエレメントからの出力を増幅するプリアンプと前記コイルエレメントにおける電気的結合を切り離すデカップリングスイッチとを有するＲＦコイル装置が接続されたポートを介して、ＲＦパルスおよび傾斜磁場を印加しない状態で前記ＲＦコイル装置により検出された信号を受信し、ＡＤ変換器でＡＤ変換を行なうことと、
前記受信された信号に基づいて異常を検出することと、
を備える異常箇所検出方法であって、
前記信号を受信することは、
前記コイルエレメントと前記ＡＤ変換器との間の区間に設けられた少なくとも１つのスイッチのＯＮ／ＯＦＦを切り替えて行い、
前記異常を検出することは、
前記コイルエレメントと前記ＡＤ変換器とが接続された状態にある第１の経路の信号と、前記コイルエレメントと前記ＡＤ変換器とが接続されていない状態にある第２の経路の信号とを比較して、異常を検出し、
前記デカップリングスイッチがＯＮ状態にあるときに取得された前記第１の経路の信号と前記デカップリングスイッチがＯＦＦ状態にあるときに取得された前記第１の経路の信号とを、同一のコイルエレメントに関して比較することにより、前記コイルエレメントから前記プリアンプまでの経路の異常をさらに検出すること、
をさらに備える異常箇所検出方法。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
遊技の制御を行う遊技制御手段と、
演出の制御を行う演出制御手段とを備え、
前記遊技制御手段は、
通常区間と有利区間のいずれかに制御する区間制御手段と、
前記有利区間であるときに遊技者にとって有利な複数種類の有利状態のうちのいずれかに制御する状態制御手段と、
前記有利区間中に消化されたゲーム数に対応する第１値を計数する第１計数手段と、
前記有利区間中に付与された遊技用価値の総数から当該有利区間中における賭数の設定に用いられた遊技用価値の総数を差し引いた純増数に対応する第２値を計数する第２計数手段とを含み、
前記演出制御手段は、該演出制御手段が制御する演出手段において、前記有利状態の種類に応じた態様で演出を行わせ、
前記遊技制御手段は、
前記有利区間であるときに前記有利状態のいずれに制御されているかに関わらず一定の点灯態様で遊技制御側ランプを点灯させることで前記有利区間中である旨を示唆する遊技制御側示唆手段を含み、
前記第１計数手段によって計数された前記第１値が第１特定値未満であるとき、かつ前記第２計数手段によって計数された前記第２値が第２特定値未満であるときは、前記有利状態に関わる特定処理を実行し、
前記第１計数手段によって計数された前記第１値が前記第１特定値以上であるとき、または前記第２計数手段によって計数された前記第２値が前記第２特定値以上であるときは、前記特定処理を実行することなく、記憶部に記憶された前記有利状態に関わる情報を初期化する初期化処理を実行した後に、前記遊技制御側ランプを消灯させる消灯処理を実行する初期化手段を含む、スロットマシン。
【手続補正２】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
遊技の制御を行う遊技制御手段と、
演出の制御を行う演出制御手段とを備え、
前記遊技制御手段は、
通常区間と有利区間のいずれかに制御する区間制御手段と、
前記有利区間であるときに遊技者にとって有利な複数種類の有利状態のうちのいずれかに制御する状態制御手段と、
前記有利区間中に消化されたゲーム数に対応する第１値を計数する第１計数手段と、
前記有利区間中に付与された遊技用価値の総数から当該有利区間中における賭数の設定に用いられた遊技用価値の総数を差し引いた純増数に対応する第２値を計数する第２計数手段とを含み、
前記演出制御手段は、該演出制御手段が制御する演出手段において、前記有利状態の種類に応じた態様で演出を行わせ、
前記遊技制御手段は、
前記有利区間であるときに前記有利状態のいずれに制御されているかに関わらず一定の点灯態様で遊技制御側ランプを点灯させることで前記有利区間中である旨を示唆する遊技制御側示唆手段を含み、
前記第１計数手段によって計数された前記第１値が第１特定値未満であるとき、かつ前記第２計数手段によって計数された前記第２値が第２特定値未満であるときは、前記有利状態に関わる特定処理を実行し、
前記第１計数手段によって計数された前記第１値が前記第１特定値以上であるとき、または前記第２計数手段によって計数された前記第２値が前記第２特定値以上であるときは、前記特定処理を実行することなく、記憶部に記憶された前記有利状態に関わる情報を初期化する初期化処理を実行した後に、前記遊技制御側ランプを消灯させる消灯処理を実行する初期化手段を含む。
（１）  各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシン（たとえば、スロット
マシン１）において、
表示結果を導出させるために操作される導出操作手段（たとえば、ストップスイッチ８
Ｌ，８Ｃ，８Ｒ）と、
遊技の制御を行う遊技制御手段（たとえば、メイン制御部４１）と、
演出の制御を行う演出制御手段（たとえば、サブ制御部９１）とを備え、
前記遊技制御手段は、
通常状態（たとえば、通常区間）と、当該通常状態よりも遊技者にとって有利な有利
状態（たとえば、有利区間）とを含む複数種類の状態のうちのいずれかに制御する状態制
御手段（たとえば、メイン制御部４１による遊技区間を制御する処理）と、
前記有利状態の制御中である旨を示唆する示唆手段（たとえば、メイン制御部４１に
よる有利区間報知ランプ１９を点灯させるメイン報知を行う処理）とを含み、
前記有利状態は複数種類あり、
前記演出制御手段は、前記有利状態の種類に応じた態様で特定演出（たとえば、ＣＺラ
ンプ５７やＡＴランプ５８を点灯させるサブ報知）を実行する特定演出手段（たとえば、
サブ制御部９１によるサブ報知を行う処理）を含み、
前記示唆手段は、前記有利状態の種類に関わらず一定の態様で前記有利状態の制御中で
ある旨を示唆する（たとえば、図２０に示すように、有利区間においては有利区間の種類
に関わらずメイン報知の点灯態様が変化しない）。